(57)【要約】【課題】デジタルＣＡＴＶにおいて、設置時にデジタルＣＡＴＶ受信装置毎にチャンネル設定を行う必要があり、全周波数帯域においてスキャンを実施しており、全周波数帯域かつ全ＴＳのチャンネル情報取得を行うのに時間を要するという課題があった。【解決手段】デジタルＣＡＴＶ受信装置において、設置局のチャンネル情報を入出力Ｉ／Ｆ部を通して、例えばＳＤメモリーカードを用いて外部とやり取りすることで、全周波数帯域のスキャンを行わずにチャンネル情報取得を実施する。【選択図】図１
2006197165.tif 000002
【特許請求の範囲】
【請求項１】
デジタルＣＡＴＶ（ケーブル・テレビジョン）の変調変換されて伝送された信号を受信するデジタルＣＡＴＶ受信装置（テレビやセットトップボックス）において、周波数を設定し６４ＱＡＭ信号を出力するチューナ部と、６４ＱＡＭ信号を復調し、トランスポートストリームを出力する６４ＱＡＭ復調部と、トランスポートストリームを復号しＰＥＳ信号を出力するＴＳ復号部と、映像ＰＥＳ信号と音声ＰＥＳ信号を復号し、映像信号と音声信号を出力するＡＶ復号部と、前記チューナ部と、前記６４ＱＡＭ復調部と、前記ＴＳ復号部と、前記ＡＶ復号部を制御する制御部と、前記制御部にユーザが操作する動作を出力する入力部と、前記ＡＶ復号部の出力のうち映像信号と、前記制御部により制御され、オンスクリーン表示信号を合成するＯＳＤ合成部と、前記制御部の制御手順情報を記憶する、不揮発メモリ部と、前記制御部に外部から制御手順情報を入力し、前記不揮発メモリ部の情報を入出力する入出力Ｉ／Ｆ部を具備し、
設置時のチャンネル情報取得の為の初期設定を実施する際に、設置局のチャンネル情報を入出力Ｉ／Ｆ部を通して外部から設定する事を特徴とするデジタルＣＡＴＶ受信装置。
【請求項２】
前記制御部の制御により、前記チューナ部で周波数を、前記ＴＳ復号部でネットワークＩＤ、ＴＳＩＤ、サービスＩＤをスキャンし前記不揮発メモリ部へ設置局のチャンネル情報を書き込み、前記入出力Ｉ／Ｆ部を通して外部へチャンネル情報を出力する事を特徴とする請求項１記載のデジタルＣＡＴＶ受信装置。
【発明の詳細な説明】
【技術分野】
【０００１】
本発明はデジタルＣＡＴＶ（ケーブル・テレビジョン）での変調変換されて伝送された信号を受信する、デジタルＣＡＴＶ受信装置の設置時におけるチャンネル情報取得の手段に関わるものである。
【背景技術】
【０００２】
従来の技術では、チャンネル情報取得の為に、全周波数帯域の全ＴＳ(トランスポートストリーム)を選局（ＴＳ番号０から１５）している。
【０００３】
しかし、設置局によってはデジタル信号が運用されている周波数帯域の数は、全周波数帯域の一部であり、デジタル信号を運用していない周波数に対しても選局動作を行い、デジタル信号の有無を実施しており、チャンネル情報取得に時間を要していた（例えば特許文献１及び非特許文献１参照）。
【特許文献１】特開平１０−１４５７６８号公報
【非特許文献１】ＪＣＴＥＡ  ストリームＤ−００２−２．０「デジタル有線テレビジョン放送多重装置」第６章  ＴＳ信号の複数ＴＳ多重化
【発明の開示】
【発明が解決しようとする課題】
【０００４】
従来の技術では、変調変換により伝送されているデジタルＣＡＴＶにおいて、局毎に伝送周波数が異なり局数も多く受信機にプリセットするにはメモリ容量が増大しコストが掛かるため実施されていなかった。
【０００５】
そのため設置時にデジタルＣＡＴＶ受信装置毎にチャンネル設定を行う必要があり、全周波数帯域においてデジタル信号の有無確認を実施しており、全周波数帯域かつ全ＴＳのチャンネル情報取得を行うのに時間を要するという課題があった。
【課題を解決するための手段】
【０００６】
この課題を解決するために、変調変換されて伝送するデジタルＣＡＴＶの放送信号を受信するデジタルＣＡＴＶ受信装置において、周波数を設定し６４ＱＡＭ信号を出力するチューナ部と、６４ＱＡＭ信号を復調し、トランスポートストリームを出力するＴＳ復号部と、映像ＰＥＳ信号と音声ＰＥＳ信号を復号し映像信号と音声信号を出力するＡＶ復号部と、前記チューナ部と、前記６４ＱＡＭ復調部と、前記ＴＳ復号部と、前記ＡＶ復号部を制御する制御部と、前記制御部にユーザが操作する動作を出力する入力部と、前記ＡＶ復号部の出力のうち映像信号と、前記制御部により制御され、オンスクリーン表示信号を合成するＯＳＤ合成部と、前記制御部の制御手順情報を記憶する、不揮発メモリ部と、前記制御部に外部から制御手順情報を入力し、前記不揮発メモリ部の情報を入出力する入出力Ｉ／Ｆ部を具備し、設置時のチャンネル情報取得の為の初期設定を実施する際に、設置局のチャンネル情報を入出力Ｉ／Ｆ部を通して外部から設定する事を特徴とする。
【０００７】
また、前記制御部の制御により、前記チューナ部で周波数を、前記ＴＳ復号部でネットワークＩＤ、ＴＳＩＤ、サービスＩＤをスキャンし前記不揮発メモリ部へ設置局のチャンネル情報を書き込み、前記入出力Ｉ／Ｆ部を通して外部へチャンネル情報を出力する事を特徴とする。
【発明の効果】
【０００８】
以上の説明から明らかなように、本発明によれば、設置局ごとに周波数が異なる変調変換されて伝送される信号を受信するデジタルＣＡＴＶ受信装置の設置時のチャンネル情報取得に要する時間の短縮が可能となる。
【発明を実施するための最良の形態】
【０００９】
以下本発明を実施するための最良の形態について、図面を参照しながら説明する。
【００１０】
（実施の形態１）
図１は、本発明の実施の形態1におけるデジタルＣＡＴＶ受信装置のブロック図である。
【００１１】
図２は、本発明の実施の形態1における不揮発メモリ部に記録された、チャンネル情報を模式的に表した模式図である。
【００１２】
図１及び図2を参照しながら説明する。
【００１３】
ケーブル入力端子１０１から、図示しないデジタルＣＡＴＶ送出装置より送出された変調変換されたＣＡＴＶ信号を入力し、制御部１０７の制御によりチューナ部１０２で周波数を選局し、６４ＱＡＭ復調部１０３、ＴＳ復号部１０４、ＡＶ復号部１０５、を用いてデジタルＣＡＴＶの信号を復号し、制御部１０７の制御によってＯＳＤ合成部１０８で、ＡＶ復号部１０５のデジタル映像とＯＳＤを合成した後アナログ信号へ変換し、ＡＶ出力端子１１１を通してモニター装置へ出力するデジタルＣＡＴＶ受信装置１００で、ユーザーが行う操作を制御部１０７へ出力する入力部１０６と、制御部１０７の制御手順を記憶する不揮発メモリ部１１０と、制御部１０７と接続され制御部１０７の制御により不揮発メモリ部１１０のチャンネル情報を外部から入力または、外部へ出力する入出力Ｉ／Ｆ部１０９を備えている。
【００１４】
まず、設置設定時のデジタルＣＡＴＶ受信装置１００の動作について説明を行う。
【００１５】
工場出荷状態のデジタルＣＡＴＶ受信装置１００は、設置局のチャンネル情報が記録されていないため、そのままでは受信することはできない。
【００１６】
図２の模式図に示す様な設置局のチャンネル情報と、チャンネル情報を不揮発メモリ１１０に書き込む設置設定用の制御手順とを予め書き込んだ記録手段、例えばＳＤメモリーカードを入出力Ｉ／Ｆ部１０９に挿入し、入力部１０６の特定のボタン、例えば「電源ボタン」を押しながらＡＣ電源を投入し、「電源ボタン」を一定時間押すことにより、不揮発メモリ部１１０に記録されている商品制御手順ではなく、ＳＤメモリーカードに書き込まれた設置設定用の制御手順を起動し、ＳＤメモリーカードに書き込まれた設置局のチャンネル情報を不揮発メモリ部１１０のチャンネル情報管理領域に書き込み終了する。
【００１７】
ＳＤメモリーカードを入出力Ｉ／Ｆ部１０９から取り去り、ＡＣ電源の再投入もしくは、リセット動作を実施することにより、設置局のチャンネル情報が書き込まれた、不揮発メモリ部１１０に記録されている商品制御手順で起動することにより、入力部１０６から選局するチャンネルを指定し、制御部１０７から不揮発メモリ部１１０のチャンネル情報管理領域を参照し、制御部１０７から選局周波数をチューナ部１０２へ指定し、同様にネットワークＩＤ、ＴＳＩＤをＴＳ復号部１０４へ指定し、サービスＩＤをＡＶ復号部１０５へ指定し、復号動作を開始することにより、映像信号、音声信号をＡＶ出力端子１１１を通して出力し、接続したモニターを用いて視聴することが可能となる。
【００１８】
以上の動作により設置時に設置局のチャンネル情報を、全周波数帯域かつ全ＴＳをスキャンしてチャンネル情報を取得することなく視聴可能な状態を実現し、チャンネル情報取得に要する時間を短縮することができる。
【００１９】
なお、本実施の形態において入出力Ｉ／Ｆ部１０９にＳＤメモリーカードを挿入としているが、また入力部１０６から電源ボタンを押しながらＡＣ電源投入としているが、それぞれ限定するものではなく、他の手段でも良い。
【００２０】
また、ＳＤメモリーカードに書き込まれた設置局のチャンネル情報を不揮発メモリ部１１０のチャンネル情報管理領域に書き込む制御手順を、商品制御手順ではなくＳＤメモリーカード側に持っているものとして説明しているが、商品制御手順側に持っていても良い。
【００２１】
（実施の形態２）
第３図は、本発明の実施の形態２におけるデジタルＣＡＴＶ受信装置の映像出力の表示イメージ図である。
【００２２】
本発明の実施の形態２について図1、図２と図３を用いて説明する。
【００２３】
工場出荷状態の１台目のデジタルＣＡＴＶ受信装置１００は、設置局のチャンネル情報が記録されていないため、そのままでは受信することはできない。
【００２４】
ケーブル入力端子１０１から、図示しないデジタルＣＡＴＶ送出装置より送出された変調変換されたＣＡＴＶ信号を入力し、制御部１０７の制御によりチューナ部１０２で周波数を順次選局し、６４ＱＡＭ復調部１０３、ＴＳ復号部１０４を順次制御し設置局のチャンネル情報を、不揮発メモリ１１０のチャンネル情報管理領域に、図２の模式図に示す様なチャンネル情報として記録を行う。このチャンネル情報取得作業は従来例と同等の時間を要する。
【００２５】
次に、記録内容が空白の記録手段、例えばフォーマット済のＳＤメモリーカードを入出力Ｉ／Ｆ部１０９に挿入し、入力部１０６のボタン、例えば「右矢印ボタン」で、モニター装置３０１上のチャンネル情報取得機能の「入力」と「出力」を選択するイメージ３０２の、出力を選択し、入力部１０６のボタン、例えば「決定ボタン」を押す。
【００２６】
この操作を制御部１０７に入力することで、不揮発メモリ部１１０に記録されている商品制御手順に従って、不揮発メモリ１１０のチャンネル情報管理領域の、図２の模式図に示す様なチャンネル情報をＳＤメモリーカードに書き込む動作を実行する。
【００２７】
続いて、２台目の工場出荷状態のデジタルＣＡＴＶ受信装置１００に、前記チャンネル情報の書き込まれたＳＤメモリーカードを入出力I／F部１０９に挿入し、入力部１０６のボタン、例えば「左矢印ボタン」で、モニター３０１上のチャンネル情報取得機能の「入力」と「出力」を選択するイメージ３０２の、入力を選択し、入力部１０６のボタン、例えば「決定ボタン」を押す。
【００２８】
この操作を制御部１０７に入力することで、不揮発メモリ部１１０に記録されている商品制御手順に従って、ＳＤメモリーカードからチャンネル情報を読み出し、不揮発メモリ１１０のチャンネル情報管理領域にチャンネル情報を書き込む動作を実行する。
【００２９】
３台目以降同様の作業を行うことで、２台目以降のチャンネル情報取得作業は、全周波数帯域の全ＴＳを選局する必要がなく従来より時間を短縮できる。
【００３０】
なお、本実施の形態において２台目、３台目以降も同じＳＤメモリカードを使用する説明としているが、パソコン等で、1台目のチャンネル情報を書き込んだＳＤメモリカードを必要枚数分他のＳＤメモリカードへ複写して使用すれば、さらに時間短縮が可能となる。
【００３１】
また、入出力I／F部１０９に挿入する記録手段としてＳＤメモリーカードを使用しているが、別の記憶手段でも良い。
【産業上の利用可能性】
【００３２】
本発明のデジタルＣＡＴＶ受信装置は、変調変換されて伝送されるデジタルＣＡＴＶ信号のチャンネル情報取得に要する時間の短縮が可能となるもので、設置時におけるチャンネル情報取得の手段として有用である。
【図面の簡単な説明】
【００３３】
【図１】デジタルCATV受信装置のブロック図
【図２】チャンネル情報を模式的に表した模式図
【図３】デジタルCATV受信装置の映像出力の表示イメージ図
【符号の説明】
【００３４】
１００    デジタルCATV受信装置
１０１    ケーブル入力端子
１０２    チューナ部
１０３    ６４ＱＡＭ復調部
１０４    ＴＳ復号部
１０５    ＡＶ復号部
１０６    入力部
１０７    制御部
１０８    ＯＳＤ合成部
１０９    入出力Ｉ／Ｆ部
１１０    不揮発性メモリ部
１１１    ＡＶ出力端子
３０１    モニター装置
３０２    チャンネル情報取得機能のイメージ
【図１】
2006197165.tif 000003
【図２】
2006197165.tif 000004
【図３】
2006197165.tif 000005